(57)【要約】【課題】座面が高くなることもなく、すわり心地が悪化することがない体重情報取得システムを提供する。【解決手段】本発明の体重情報取得システム（１００）は、座部を有し、前記座部に荷重がかかることで前記座部が沈み込む椅子に取り付ける体重情報取得システム（１００）において、前記椅子の脚柱に体重情報取得システム本体を装着する装着機構と、前記座部の底面との間の距離を計測する距離センサ（１２０）と、前記座部に荷重がかかっていない時に前記距離センサ（１２０）で計測される第１距離と、前記座部に人が座った時に前記距離センサ（１２０）で計測される第２距離と、に基づいて、前記椅子に座った人の体重に関する情報を算出する体重情報算出部（１１０）と、を有することを特徴とする。【選択図】  図２
2017111060.tif 000002
【特許請求の範囲】
【請求項１】
座部を有し、前記座部に荷重がかかることで前記座部が沈み込む椅子に取り付ける体重情報取得システムにおいて、
前記椅子の脚柱に体重情報取得システム本体を装着する装着機構と、
前記座部の底面との間の距離を計測する距離センサと、
前記座部に荷重がかかっていない時に前記距離センサで計測される第１距離と、前記座部に人が座った時に前記距離センサで計測される第２距離と、に基づいて、前記椅子に座った人の体重に関する情報を算出する体重情報算出部と、
を有することを特徴とする体重情報取得システム。
【請求項２】
前記体重情報算出部によって算出された体重情報を記憶する記憶部を有することを特徴とする請求項１に記載の体重情報取得システム。
【請求項３】
前記記憶部に記憶された体重情報から平均体重情報を算出する平均体重情報算出部と、
前記平均体重情報算出部で算出された平均体重情報と、前記体重情報算出部によって算出された体重情報との差分を算出する差分算出部と、
前記差分算出部によって算出された差分が所定値以上となった場合に報知を行う報知部と、
を有することを特徴とする請求項２に記載の体重情報取得システム。
【請求項４】
前記体重情報算出部によって算出された体重情報を送信する通信部を有することを特徴とする請求項１に記載の体重情報取得システム。
【請求項５】
前記体重情報算出部によって算出された体重情報を、重量値に変換する変換部を有することを特徴とする請求項１に記載の体重情報取得システム。
【発明の詳細な説明】
【技術分野】
【０００１】
本発明は、既存の椅子に取り付けることで、椅子に座った人の体重に関する情報を算出することができ、体重管理に好適な体重情報取得システムに関するものである。
【背景技術】
【０００２】
健康やダイエットに対する関心はあるものの、一方で、体重管理を自ら行うことは面倒であることから、特に意識をすることなく体重管理を行いたい、というニーズが存在する。
【０００３】
上記のようなニーズに応えるために、例えば、特許文献１（特開２００１−２９２８６３号公報）には、ヘルスメーターの載台（１）の側端に凸部（３）を形設し、凸部（３）内にデジタルインジケーター（４）を配設すると共に、載台（１）にクッションマット（６）を貼着し、基台（２）に沿わせて、載台（１）の外周より大きい受圧板（７）を設けることで、腰掛ければ、体重と食事摂取量が計測できる減量ヘルスメーターが開示されている。
【特許文献１】特開２００１−２９２８６３号公報
【発明の概要】
【発明が解決しようとする課題】
【０００４】
しかしながら、特許文献１記載のものは、ヘルスメーターを椅子の座面に載置する構成となっているので、実際に椅子に座る人の座面が高くなると共に、椅子に座る人は実質的にヘルスメーターの上に腰掛けることとなるので、座り心地が悪い、という問題があった。
【０００５】
また、特許文献１記載のものにおいては、椅子に座る人は、体が体重計以外の部分（例えば、背もたれ）に接触しやすいため、体重を正確に測定しにくい、という問題もあった。
【課題を解決するための手段】
【０００６】
上記問題を解決するために、本発明に係る体重情報取得システムは、座部を有し、前記座部に荷重がかかることで前記座部が沈み込む椅子に取り付ける体重情報取得システムにおいて、前記椅子の脚柱に体重情報取得システム本体を装着する装着機構と、前記座部の底面との間の距離を計測する距離センサと、前記座部に荷重がかかっていない時に前記距離センサで計測される第１距離と、前記座部に人が座った時に前記距離センサで計測される第２距離と、に基づいて、前記椅子に座った人の体重に関する情報を算出する体重情報算出部と、を有することを特徴とする。
【０００７】
また、本発明に係る体重情報取得システムは、前記体重情報算出部によって算出された体重情報を記憶する記憶部を有することを特徴とする。
【０００８】
また、本発明に係る体重情報取得システムは、前記記憶部に記憶された体重情報から平均体重情報を算出する平均体重情報算出部と、前記平均体重情報算出部で算出された平均体重情報と、前記体重情報算出部によって算出された体重情報との差分を算出する差分算出部と、前記差分算出部によって算出された差分が所定値以上となった場合に報知を行う報知部と、を有することを特徴とする。
【０００９】
また、本発明に係る体重情報取得システムは、前記体重情報算出部によって算出された体重情報を送信する通信部を有することを特徴とする。
【００１０】
また、本発明に係る体重情報取得システムは、前記体重情報算出部によって算出された体重情報を、重量値に変換する変換部を有することを特徴とする。
【発明の効果】
【００１１】
本発明に係る体重情報取得システムにおいては、椅子の脚柱に体重情報取得システム本体を装着する構造であるので、本発明に係る体重情報取得システムによれば、座面が高くなることもなく、すわり心地が悪化することもない。
【００１２】
また、本発明に係る体重情報取得システムは、既存の椅子の脚柱に装着することが可能であるので、低コストで体重管理を行うことが可能となる。
【００１３】
また、本発明に係る体重情報取得システムによれば、椅子に座る人が、例え、背もたれに接触したとしても、背もたれへの荷重分も含めて体重情報が算出されるので、より正確な体重情報を得ることが可能となる。
【図面の簡単な説明】
【００１４】
【図１】本発明の実施形態に係る体重情報取得システム１００が搭載された椅子１０を示す図である。
【図２】本発明の実施形態に係る体重情報取得システム１００のブロック図である。
【図３】本発明の実施形態に係る体重情報取得システム１００が搭載された椅子１０に人が座ったときの様子を示す図である。
【図４】本発明の実施形態に係る体重情報取得システム１００の第１距離取得処理のフローチャートを示す図である。
【図５】本発明の実施形態に係る体重情報取得システム１００の体重情報算出処理のフローチャートを示す図である。
【図６】本発明の実施形態に係る体重情報取得システム１００の報知処理のフローチャートを示す図である。
【図７】報知処理における考え方を説明する図である。
【図８】本発明の第２実施形態に係る体重情報取得システム１００が搭載された椅子１０を示す図である。
【図９】本発明の第２実施形態に係る体重情報取得システム１００のブロック図である。
【図１０】本発明の第２実施形態に係る体重情報取得システム１００の体重情報送信処理のフローチャートを示す図である。
【図１１】本発明の第２実施形態に係る体重情報取得システム１００の体重情報受信処理のフローチャートを示す図である。
【図１２】本発明の第２実施形態に係る体重情報取得システム１００の報知処理のフローチャートを示す図である。
【図１３】本発明の第３実施形態に係る体重情報取得システム１００のブロック図である。
【図１４】本発明の第３実施形態に係る体重情報取得システム１００の体重情報−重量値変換処理のフローチャートを示す図である。
【図１５】本発明の第３実施形態に係る体重情報取得システム１００の体重報知処理のフローチャートを示す図である。
【発明を実施するための形態】
【００１５】
以下、本発明の実施の形態を図面を参照しつつ説明する。図１は本発明の実施形態に係る体重情報取得システム１００が搭載された椅子１０を示す図である。また、図２は本発明の実施形態に係る体重情報取得システム１００のブロック図である。
【００１６】
本発明に係る体重情報取得システム１００は、人が座部１５に腰掛け、座部１５に荷重がかかったときに、ガスシリンダ（不図示）などを用いて座部１５が沈み込む機構を有する椅子１０に対して適用し得るものである。
【００１７】
なお、以下の実施形態では、椅子１０の座部１５の沈み込み機構をガスシリンダにより実現した例に基づいて説明するが、本発明に係る体重情報取得システム１００が適用し得る椅子１０がこのような沈み込み機構を採用したもののみに限定されるわけではない。
【００１８】
このような椅子１０は、座部１５を支える脚２１と、座部１５から延設されている背もたれ部１３を有するものである。また、脚２１は、ガスシリンダからなる脚柱２５と、脚柱２５から放射状に延びる枝足２６とを備えており、各枝足２６の先端にはキャスター２７が設けられている。
【００１９】
本実施形態に係る体重情報取得システム１００は、上記のような脚柱２５に装着される体重情報取得システム本体１０５と、体重情報取得システム本体１０５とは別体で目視しやすい箇所に取り付けられる報知部としての表示部１６０と、から構成される。本実施形態では、表示部１６０は液晶表示装置などの視覚による報知デバイスを想定しているが、表示部１６０の代わりとしてスピーカーなどの音声による報知デバイスを用いることもできる。
【００２０】
なお、体重情報取得システム本体１０５と表示部１６０とは、有線で互いに通信を行うようにしてもよいし、無線で互いに通信を行うようにしてもよい。
【００２１】
体重情報取得システム１００は、マイクロコンピューターなどの演算部１１０を有している。演算部１１０は、内部で演算を実行すると共に、演算部１１０と接続される構成とデータを送受信したり、演算部１１０と接続される構成に対して制御信号を送信したりする。
【００２２】
体重情報取得システム１００は、距離センサ部１２０を有している。距離センサ部１２０は、体重情報取得システム本体１０５の上面と、座部１５における座部底面１７との間の距離を計測し、当該計測データを演算部１１０に対して送信するようになっている。
【００２３】
距離センサ部１２０としては、体重情報取得システム本体１０５と座部底面１７との間の距離を計測することができれば、どのようなものを用いても構わない。例えば、距離センサ部１２０としては、赤外線を用いたフォトリフレクター、超音波を用いた超音波距離センサや、リニアスライダーを用いたリニアポテンショメーターなどを用いることができる。
【００２４】
計時部１３０は、時刻を計時すると共に、計時した時刻データや時間データなどを、演算部１１０に対して送信する。
【００２５】
また、記憶部１４０は、ＲＯＭ（リードオンリーメモリー）やＲＡＭ（ランダムアクセスメモリー）、或いは不揮発性で書き換え可能な記憶素子などからなり、演算部１１０に対してプログラムデータを供給したり、演算部１１０に対して一時記憶容量を提供したりする。
【００２６】
また、リセット部１５０は操作されることで、演算部１１０に対して、リセット信号を送信する。このリセット信号は、必ずしも演算部１１０の動作をリセットするものではなく、一種のトリガーとして演算部１１０に送信されるものである。
【００２７】
次に、以上のように構成される体重情報取得システム１００における制御について説明する。まず、体重情報取得システム１００が取り付けられた椅子１０に人が座ったときの様子を、図３を参照して説明する。
【００２８】
椅子１０に人が座ったとき、人による荷重で座部１５が沈み込む。本発明に係る体重情報取得システム１００においては、距離センサ部１２０によって、体重情報取得システム本体１０５上面と、座部１５の座部底面１７との間の距離を計測することで、座部１５の沈み込み量に関する情報を取得して、もって、座部１５に座った人の体重情報としている。
【００２９】
椅子１０に人が座っていないときの距離センサ部１２０による計測値を、第１距離（ｄ1）とする。また、椅子１０に人が座ったときの距離センサ部１２０による計測値を、第２距離（ｄ2）とする。このとき、座部１５に座った人の体重情報は、第１距離（ｄ1）から第２距離（ｄ2）を引いた差（座部１５が沈み込み量）として表す。
【００３０】
なお、本実施形態に係る体重情報取得システム１００においては、座部１５の沈み込み量から、椅子１０に座る人の重量値（実際の体重）を求めようとするものではなく、第１距離（ｄ1）から第２距離（ｄ2）を引いた差である体重情報の遷移に基づいて、人の体重の管理を行おうとするものである。また、椅子１０には特定の人が座ることが、本実施形態に係る体重情報取得システム１００の前提となる。
【００３１】
以上を踏まえ、本発明の実施形態に係る体重情報取得システム１００の制御の詳細についてフローチャート等を参照して説明する。
【００３２】
まず、本実施形態に係る体重情報取得システム１００においては、体重情報取得システム本体１０５を脚柱２５に装着したときに、上記の第１距離（ｄ1）を取得する処理を実行する。
【００３３】
図４は本発明の実施形態に係る体重情報取得システム１００の第１距離取得処理のフローチャートを示す図である。このようなフローチャートによる処理は、椅子１０に人が座っていないときに実行される。また、当該フローチャートによる処理は、演算部１１０によって実行される。
【００３４】
ステップＳ１００で、第１距離取得処理が開始されると、続いて、ステップＳ１０１では、リセット部１５０が操作されたか否かが判定される。ステップＳ１０１においては、体重情報取得システム１００の利用者が、椅子１０に誰も座っていない状態で、リセット部１５０を操作することが想定されている。ここで、リセット部１５０が操作され、ステップＳ１０１における判定がＹＥＳとなると、ステップＳ１０２に進む。
【００３５】
ステップＳ１０２では、距離センサ部１２０によって、第１距離（ｄ1）を取得し、続く、ステップＳ１０３で、記憶部１４０に第１距離（ｄ1）を記憶して、次のステップＳ１０４で、第１距離取得処理を終了する。
【００３６】
本発明に係る体重情報取得システム１００は、以上のような第１距離取得処理を実行することで、椅子１０に人が座っていないときの計測値である第１距離（ｄ1）を、記憶部１４０に記憶させることができる。
【００３７】
続いて、本発明に係る体重情報取得システム１００によって、椅子１０に座る人の体重情報を算出する処理について説明する。図５は本発明の実施形態に係る体重情報取得システム１００の体重情報算出処理のフローチャートを示す図である。このようなフローチャートによる処理は、演算部１１０によって実行される。
【００３８】
ここで、体重情報算出処理で算出される体重情報は、体重としての重量値ではなく、あくまで体重と関連した指標である。
【００３９】
図５において、ステップＳ２００で、体重情報算出処理が開始されると、ステップＳ２０１に進み、計時部１３０によって所定時間が経過したか否かが判定される。ここで、所定時間が経過したか否かを判定する際、前回の計測タイミングからの経過時間が「所定時間」であるか否かを判定するようにしてもよいし、１３：００、１４：００、１５：００・・・など、例えば１時間経過したか否かを判定するようにしてもよい。
【００４０】
ステップＳ２０１で、所定時間が経過したか否かを判定するのは、高い頻度で体重情報算出処理を行ったとしても、体重管理に有用なデータを得ることができないからである。
【００４１】
ステップＳ２０１における判定がＮＯである場合には、距離センサ部１２０による計測を行わず、ステップＳ２０６に進み、体重情報算出処理を終了する。
【００４２】
一方、ステップＳ２０１における判定がＹＥＳである場合には、ステップＳ２０２に進み、距離センサ部１２０によって計測距離データを取得する。
【００４３】
続く、ステップＳ２０３では、距離センサ部１２０によって取得した計測距離データは第１距離（ｄ1）であるか否かが判定される。
【００４４】
ステップＳ２０３における判定がＹＥＳである場合、距離センサ部１２０による計測距離が第１距離（ｄ1）であった場合には、椅子１０には誰も座っていないものと判断できるので、ステップＳ２０６に進み、体重情報算出処理を終了する。
【００４５】
一方、ステップＳ２０３における判定がＮＯである場合には、距離センサ部１２０による計測距離が第２距離（ｄ2）であるものと見なし、ステップＳ２０４に進む。
【００４６】
ステップＳ２０４では、椅子１０に座っている人の体重情報を、体重情報＝第１距離（ｄ1）−第２距離（ｄ2）によって算出する。
【００４７】
ステップＳ２０５では、記憶部１４０に、ステップＳ２０４で算出した体重情報を時間と共に記憶し、ステップＳ２０６に進み、体重情報算出処理を終了する。
【００４８】
本発明に係る体重情報取得システム１００においては、上記のような体重情報算出処理が定期的に実行されることにより、記憶部１４０に、椅子１０に座る人の体重情報の経時変化の履歴が蓄積されることとなる。
【００４９】
続いて、本発明に係る体重情報取得システム１００によって、記憶部１４０に蓄積された体重情報の経時変化の履歴を活用する一例について説明する。本実施形態における体重情報の活用例では、椅子１０に座る人の体重情報の変化が閾値を超えたような場合にワーニングを行うものである。
【００５０】
図６は本発明の実施形態に係る体重情報取得システム１００の報知処理のフローチャートを示す図である。このようなフローチャートによる処理は、演算部１１０によって実行される。
【００５１】
ステップＳ３００で、報知処理が開始されると、続く、ステップＳ３０１では、記憶部１４０から履歴として記録されている体重情報の読み込みを行う。なお、記憶部１４０から読み込む体重情報は、例えば、最新のものから１０日間分など、一定の期間内の体重情報とすることもできるし、記録されている全ての体重情報とすることもできる。
【００５２】
ステップＳ３０２では、記憶部１４０から読み込まれた体重情報に基づいて、平均体重情報を算出する。続く、ステップＳ３０３では、最新の体重情報を取得し、次のステップＳ３０４では、平均体重情報と最新の体重情報との差分を算出する。
【００５３】
ステップＳ３０５では、当該差分が所定値以上であるか否かを判定する。図７は報知処理のステップＳ３０５における考え方を説明する図である。ここで、所定値をαとすると、ステップＳ３０５では、最新の体重情報が（平均体重情報−α）＜（最新の体重情報）＜（平均体重情報+α）に収まっているか、或いは、（最新の体重情報）≦（平均体重情報−α）又は（平均体重情報+α）≦（最新の体重情報）であるかが判定される。ここで、後者がＹＥＳであれば、体重情報が逸脱しているものとして報知を行う。
【００５４】
すなわち、ステップＳ３０５における判定結果がＹＥＳである場合、ステップＳ３０６に進み、ステップＳ３０６で、表示部１６０により最新の体重情報が平均から見て閾値を超えており、留意する必要がある旨の報知を行い、ステップＳ３０７で、報知処理を終了する。図７に示すようにラインＡ以上又はラインＢ以下の範囲となった体重情報について、報知を実行する。
【００５５】
一方で、ステップＳ３０５における判定結果がＮＯである場合、ステップＳ３０７に進み報知処理を終了する。
【００５６】
以上のような本発明に係る体重情報取得システム１００においては、椅子１０の脚柱２５に体重情報取得システム本体１０５を装着する構造であるので、本発明に係る体重情報取得システム１００によれば、座面が高くなることもなく、すわり心地が悪化することもない。
【００５７】
また、本発明に係る体重情報取得システム１００は、既存の椅子１０の脚柱２５に装着することが可能であるので、低コストで体重管理を行うことが可能となる。
【００５８】
また、本発明に係る体重情報取得システム１００によれば、椅子１０に座る人が、例え、背もたれに接触したとしても、背もたれへの荷重分も含めて体重情報が算出されるので、より正確な体重情報を得ることが可能となる。
【００５９】
次に、本発明の他の実施形態について説明する。図８は本発明の第２実施形態に係る体重情報取得システム１００が搭載された椅子１０を示す図である。また、図９は本発明の第２実施形態に係る体重情報取得システム１００のブロック図である。
【００６０】
先の実施形態においては、報知部として表示部１６０が設けられていた。この表示部１６０は、例えば椅子１０の側部に取り付けられており、椅子１０の利用者にとっては、わざわざ通常の着座姿勢から姿勢を変えて目視しなくてはいけないものであり、必ずしも視認性がよくない、という問題があった。
【００６１】
そこで、第２実施形態に係る体重情報取得システム１００においては、体重情報取得システム１００とは独立したスマートフォン２００を利用し、このスマートフォン２００のタッチパネル２６０を報知部として用いるようにする。なお、本実施形態では、スマートフォン２００のタッチパネル２６０を視覚的な報知部として用いているが、これに代え、これとスマートフォン２００のスピーカーを聴覚的な報知部として用いることもできる。さらに、報知部として、タッチパネル２６０とスピーカーを併用するようにしてもよい。
【００６２】
ここで、スマートフォン２００としては、通信機能、通話機能、表示機能、ブラウザー機能などを有する現在広く普及しているものを利用することができる。なお、このようなスマートフォン２００には、メモリ２４０が設けられており、第２実施形態に係る体重情報取得システム１００においては、当該メモリ２４０に体重情報などを記録するようにする。
【００６３】
本実施形態では、体重情報取得システム１００とは独立した情報処理端末として、スマートフォン２００を利用するようにしたが、パーソナルコンピューター、ＰＤＡ、携帯電話、タブレット端末などの他の情報処理端末を用いるようしても構わない。
【００６４】
また、先の実施形態においては表示部１６０が設けられていたが、第２実施形態に係る体重情報取得システム１００においては、表示部１６０の機能はスマートフォン２００に委ねられるために、表示部１６０は設けられていない。
【００６５】
一方で、第２実施形態に係る体重情報取得システム１００においては、スマートフォン２００と直接的又は間接的に通信を行うこと可能な通信部１７０を有している。この通信部１７０は、演算部１１０ともデータの送受を行うことができるようになっている。
【００６６】
次に、上記のような第２実施形態に係る体重情報取得システム１００の制御の詳細についてフローチャート等を参照して説明する。
【００６７】
まず、第２実施形態に係る体重情報取得システム１００においても、体重情報取得システム本体１０５を脚柱２５に装着したときに、第１距離（ｄ1）を取得する処理が実行される。第１距離取得処理については、先の実施形態と同様のもの（図４のフローチャートに示すもの）を利用することができるので、説明を省略する。
【００６８】
続いて、本発明に係る体重情報取得システム１００によって、椅子１０に座る人の体重情報を算出し、算出した情報をスマートフォン（情報処理端末）２００に送信する処理について説明する。
【００６９】
図１０は本発明の第２実施形態に係る体重情報取得システム１００の体重情報送信処理のフローチャートを示す図である。このようなフローチャートによる処理は、演算部１１０によって実行される。
【００７０】
ここで、体重情報算出処理で算出される体重情報は、体重としての重量値ではなく、あくまで体重と関連した指標である。
【００７１】
図１０において、ステップＳ４００で、体重情報算出処理が開始されると、ステップＳ４０１に進み、計時部１３０によって所定時間が経過したか否かが判定される。ここで、所定時間が経過したか否かを判定する際、前回の計測タイミングからの経過時間が「所定時間」であるか否かを判定するようにしてもよいし、１３：００、１４：００、１５：００・・・など、例えば１時間経過したか否かを判定するようにしてもよい。
【００７２】
ステップＳ４０１で、所定時間が経過したか否かを判定するのは、高い頻度で体重情報算出処理を行ったとしても、体重管理に有用なデータを得ることができないからである。
【００７３】
ステップＳ４０１における判定がＮＯである場合には、距離センサ部１２０による計測を行わず、ステップＳ４０６に進み、体重情報算出処理を終了する。
【００７４】
一方、ステップＳ４０１における判定がＹＥＳである場合には、ステップＳ４０２に進み、距離センサ部１２０によって計測距離データを取得する。
【００７５】
続く、ステップＳ４０３では、距離センサ部１２０によって取得した計測距離データは第１距離（ｄ1）であるか否かが判定される。
【００７６】
ステップＳ４０３における判定がＹＥＳである場合、距離センサ部１２０による計測距離が第１距離（ｄ1）であった場合には、椅子１０には誰も座っていないものと判断できるので、ステップＳ４０６に進み、体重情報算出処理を終了する。
【００７７】
一方、ステップＳ４０３における判定がＮＯである場合には、距離センサ部１２０による計測距離が第２距離（ｄ2）であるものと見なし、ステップＳ４０４に進む。
【００７８】
ステップＳ４０４では、椅子１０に座っている人の体重情報を、体重情報＝第１距離（ｄ1）−第２距離（ｄ2）によって算出する。
【００７９】
ステップＳ４０５では、ステップＳ４０４で算出した体重情報を時間と共に、通信部１７０からスマートフォン２００に送信し、ステップＳ４０６に進み、体重情報算出処理を終了する。
【００８０】
次に、スマートフォン２００側における制御処理について説明する。図１１は本発明の第２実施形態に係る体重情報取得システム１００の体重情報受信処理のフローチャートを示す図である。このようなフローチャートによる処理は、スマートフォン２００によって実行される。
【００８１】
図１１において、ステップＳ５００で体重情報受信処理が開始されると、続いて、ステップＳ５０１では、体重情報取得システム１００の通信部１７０から、体重情報及び時間を受信し、ステップＳ５０２では、メモリ２４０に、体重情報を時間と共に記憶し、ステップＳ５０３で、体重情報受信処理を終了する。
【００８２】
本発明に係る体重情報取得システム１００においては、上記のような体重情報送信処理及び体重情報受信処理が定期的に実行されることにより、スマートフォン２００のメモリ２４０に、椅子１０に座る人の体重情報の経時変化の履歴が蓄積されることとなる。
【００８３】
続いて、本発明に係る体重情報取得システム１００によって、スマートフォン２００のメモリ２４０に蓄積された体重情報の経時変化の履歴を活用する一例について説明する。本実施形態における体重情報の活用例では、椅子１０に座る人の体重情報の変化が閾値を超えたような場合にワーニングを行うものである。
【００８４】
図１２は本発明の実施形態に係る体重情報取得システム１００の報知処理のフローチャートを示す図である。このようなフローチャートによる処理は、スマートフォン２００によって実行される。
【００８５】
ステップＳ６００で、報知処理が開始されると、続く、ステップＳ６０１では、メモリ２４０から履歴として記録されている体重情報の読み込みを行う。なお、メモリ２４０から読み込む体重情報は、例えば、最新のものから１０日間分など、一定の期間内の体重情報とすることもできるし、記録されている全ての体重情報とすることもできる。
【００８６】
ステップＳ６０２では、メモリ２４０から読み込まれた体重情報に基づいて、平均体重情報を算出する。続く、ステップＳ６０３では、最新の体重情報を取得し、次のステップＳ６０４では、平均体重情報と最新の体重情報との差分を算出する。
【００８７】
ステップＳ６０５では、当該差分が所定値以上であるか否かを判定する。図７は報知処理のステップＳ６０５における考え方を説明する図である。ここで、所定値をαとすると、ステップＳ６０５では、最新の体重情報が（平均体重情報−α）＜（最新の体重情報）＜（平均体重情報+α）に収まっているか、或いは、（最新の体重情報）≦（平均体重情報−α）又は（平均体重情報+α）≦（最新の体重情報）であるかが判定される。ここで、後者がＹＥＳであれば、体重情報が逸脱しているものとして報知を行う。
【００８８】
すなわち、ステップＳ６０５における判定結果がＹＥＳである場合、ステップＳ６０６に進み、ステップＳ６０６で、タッチパネル２６０により最新の体重情報が平均から見て閾値を超えており、留意する必要がある旨の報知を行い、ステップＳ６０７で、報知処理を終了する。図７に示すようにラインＡ以上又はラインＢ以下の範囲となった体重情報について、報知を実行する。
【００８９】
一方で、ステップＳ６０５における判定結果がＮＯである場合、ステップＳ６０７に進み報知処理を終了する。
【００９０】
以上のような第２実施形態に係る体重情報取得システム１００によれば、先の実施形態と同様の効果を享受することが可能となると共に、スマートフォン２００のタッチパネル２６０が報知部として機能するので、椅子１０の利用者が、例えば椅子１０の側部に取り付けられる表示部などを姿勢を、変えて目視する必要がなく、視認性が向上する。
【００９１】
次に、本発明の他の実施形態について説明する。図１３は本発明の第３実施形態に係る体重情報取得システム１００のブロック図である。本発明の第３実施形態に係る体重情報取得システム１００が装着された様子は、図１に示す実施形態と同様である。
【００９２】
第１の実施形態、及び、第２の実施形態に係る体重情報取得システム１００においては、体重情報のみを算出して、椅子１０に座る人の重量値（実際の体重）を求めようにするものではなかった。
【００９３】
一方、第３実施形態に係る体重情報取得システム１００においては、体重情報から椅子１０に座る人の重量値を求めるようにする。このために、本実施形態では、初期の実際の重量値（体重）を入力するために、テンキーなどの入力部１８０が設けられている。入力部１８０は、体重情報取得システム本体１０５に設けられており、演算部１１０とデータの送受信を行い得るように構成されている。
【００９４】
次に、上記のような第３実施形態に係る体重情報取得システム１００の制御の詳細についてフローチャート等を参照して説明する。
【００９５】
まず、第３実施形態に係る体重情報取得システム１００においても、体重情報取得システム本体１０５を脚柱２５に装着したときに、第１距離（ｄ1）を取得する処理が実行される。第１距離取得処理については、先の実施形態と同様のもの（図４のフローチャートに示すもの）を利用することができるので、説明を省略する。
【００９６】
続いて、本発明に係る体重情報取得システム１００によって、椅子１０に座る人の体重情報を算出し、この体重情報を実際の重量値（体重）に関連づけて、変換する処理について説明する。
【００９７】
図１４は本発明の第３実施形態に係る体重情報取得システム１００の体重情報−重量値変換処理のフローチャートを示す図である。このようなフローチャートによる処理は、演算部１１０によって実行される。
【００９８】
図１４において、ステップＳ７００で、体重情報−重量値変換処理が開始されると、ステップＳ７０１に進み、表示部（報知部）１６０により、椅子１０の利用者に座るように促し、次のステップＳ７０２で、距離センサ部１２０によって計測距離データを取得する。
【００９９】
続く、ステップＳ７０３では、距離センサ部１２０によって取得した計測距離データは第１距離（ｄ1）であるか否かが判定される。
【０１００】
ステップＳ７０３における判定がＹＥＳである場合、距離センサ部１２０による計測距離が第１距離（ｄ1）であった場合には、椅子１０には誰も座っていないものと判断できるので、再び、ステップＳ７０１に戻る。
【０１０１】
一方、ステップＳ７０３における判定がＮＯである場合には、距離センサ部１２０による計測距離が第２距離（ｄ2）であるものと見なし、ステップＳ７０４に進む。
【０１０２】
ステップＳ７０４では、椅子１０に座っている人の体重情報を、体重情報＝第１距離（ｄ1）−第２距離（ｄ2）によって算出する。
【０１０３】
続いて、ステップＳ７０５に進み、表示部（報知部）１６０により、椅子１０の利用者に対して、現在の体重（重量値）を入力部１８０から入力するように促す。
【０１０４】
ステップＳ７０６では、入力部１８０からの入力があったか否かが判定される。ステップＳ７０６の判定結果がＮＯであればステップＳ７０５に戻る。一方、ステップＳ７０６における判定結果がＹＥＳであれば、ステップＳ７０７に進む。
【０１０５】
ステップＳ７０７では、
基準体重情報Ｄｓ＝ステップＳ７０４で算出された体重情報
基準体重Ｂｓ（重量値）＝入力部１８０から入力された体重（重量値）
として記憶部１４０に記憶する。
【０１０６】
ステップＳ７０８では、体重情報−重量値変換処理を終了する。
【０１０７】
次に、以上のように体重情報−重量値変換処理が施された後に、椅子１０に座った人の体重（重量値）を報知する処理について説明する。
【０１０８】
図１５は本発明の第３実施形態に係る体重情報取得システム１００の体重報知処理のフローチャートを示す図である。このようなフローチャートによる処理は、演算部１１０によって実行される。
【０１０９】
図１５において、ステップＳ８００で、体重報知処理が開始されると、続いてステップＳ８０１に進み、最新の体重情報であるＤｎを取得する。
【０１１０】
次のステップＳ８０２では、最新体重（Ｂｎ）を次の式により算出する。
Ｂｎ＝Ｂｓ＋（Ｄｎ−Ｄｓ）×Δ／Ｄｓ
ここで、Δは定数である。
【０１１１】
ステップＳ８０３では、算出された最新体重Ｂｎを表示部１６０により報知して、ステップＳ８０４で、体重報知処理を終了する。
【０１１２】
以上のような実施形態によれば、第１の実施形態と同様の効果を享受することが可能であると共に、椅子１０に座る人の重量値（実際の体重）を求めることが可能となる。
【０１１３】
以上、本発明に係る体重情報取得システムにおいては、椅子の脚柱に体重情報取得システム本体を装着する構造であるので、本発明に係る体重情報取得システムによれば、座面が高くなることもなく、すわり心地が悪化することもない。
【０１１４】
また、本発明に係る体重情報取得システムは、既存の椅子の脚柱に装着することが可能であるので、低コストで体重管理を行うことが可能となる。
【０１１５】
また、本発明に係る体重情報取得システムによれば、椅子に座る人が、例え、背もたれに接触したとしても、背もたれへの荷重分も含めて体重情報が算出されるので、より正確な体重情報を得ることが可能となる。
【符号の説明】
【０１１６】
１０・・・椅子
１３・・・背もたれ部
１５・・・座部
１７・・・座部底面
２１・・・脚
２５・・・脚柱
２６・・・枝足
２７・・・キャスター
１００・・・体重情報取得システム
１０５・・・体重情報取得システム本体
１１０・・・演算部
１２０・・・距離センサ部
１３０・・・計時部
１４０・・・記憶部
１５０・・・リセット部
１６０・・・表示部（報知部）
１７０・・・通信部
１８０・・・入力部
２００・・・スマートフォン（情報処理端末）
２４０・・・メモリ
２６０・・・タッチパネル（報知部）
【図１】
2017111060.tif 000003
【図２】
2017111060.tif 000004
【図３】
2017111060.tif 000005
【図４】
2017111060.tif 000006
【図５】
2017111060.tif 000007
【図６】
2017111060.tif 000008
【図７】
2017111060.tif 000009
【図８】
2017111060.tif 000010
【図９】
2017111060.tif 000011
【図１０】
2017111060.tif 000012
【図１１】
2017111060.tif 000013
【図１２】
2017111060.tif 000014
【図１３】
2017111060.tif 000015
【図１４】
2017111060.tif 000016
【図１５】
2017111060.tif 000017